(57)【要約】【課題】電流検出用抵抗器の電圧端子の引き出し箇所及び、電流端子や電圧端子自体の素材を工夫することにより、電力ロスを抑え、電流検出精度を向上する。【解決手段】  抵抗体１と、その左右に固定する板状の電流端子２とからなり、電流端子は抵抗体よりも導電率の良い素材を用い、外側を電流端子本体部３とし、内側には三つ又に分かれる分岐片４，５，６を有し、前後２つの分岐片を抵抗体用接続部とすると共に、中央分岐片を折り曲げて電圧端子とする電流検出用抵抗器。電流端子の内側端部の縦幅全域を抵抗体用接続部８とし、電流端子本体部と抵抗体用接続部の間には抵抗体用接続部側から三つ又に分かれる分岐片９，１０，１１を有し、前後二つの分岐片を導通部とすると共に、中央分岐片の先端を電流端子本体部から切り離し、その中央の分岐片を折り曲げて電圧端子とする電流検出用抵抗器。【選択図】      図１
2005181056.tif 000002
【特許請求の範囲】
【請求項１】
抵抗体（１）と、抵抗体（１）の左右に固定する板状の電流端子（２）とからなり、
電流端子（２）は、抵抗体（１）よりも導電率の良い素材を用い、その外側を電流端子本体部（３）とし、その内側には三つ又に分かれる分岐片（４，５，６）を有し、前後２つの分岐片（４，６）を抵抗体用接続部とすると共に、中央の分岐片（５）を折り曲げて電圧端子としてあることを特徴とする電流検出用抵抗器。
【請求項２】
抵抗体（１）と、抵抗体（１）の左右に固定する板状の電流端子（２）とからなり、
電流端子（２）は、抵抗体（１）よりも導電率の良い素材を用い、その外側を電流端子本体部（３）とし、その内側端部の縦幅全域を抵抗体用接続部（８）とし、電流端子本体部（３）と抵抗体用接続部（８）の間には抵抗体用接続部（８）側から三つ又に分かれる分岐片（９，１０，１１）を有し、前後二つの分岐片（９，１１）を導通部とすると共に、中央の分岐片（１０）の先端を電流端子本体部（３）から切り離し、その中央の分岐片（１０）を折り曲げて電圧端子としてあることを特徴とする電流検出用抵抗器。
【発明の詳細な説明】
【技術分野】
【０００１】
本発明は、低抵抗値で、大電流容量の電流検出用抵抗器に関する。
【背景技術】
【０００２】
上述した電流検出用抵抗器の従来技術としては図６に示すように、矩形状の抵抗体９１の長手方向側面より電圧端子９２を突出し、抵抗体９１の左右端部を電流端子９３としたものが存在する（特許文献１参照）。
【特許文献１】特開２００２−４８８２１号公報
【発明の開示】
【発明が解決しようとする課題】
【０００３】
ところが上述した従来技術は、電圧端子９２の引き出し箇所が、電流端子９３よりも内側であるため、図７に示すように抵抗素子９４の途中から電圧端子９２を引き出していることになり、電流端子９３，９３間の抵抗値Ｒと電圧端子９２，９２間の抵抗値Ｒ’とは差２ｒが出ることになり、その分だけ電力ロスが発生することになる。
【０００４】
さらに、電圧端子の引き出し箇所は抵抗体の長手方向側面である。そして、図６に示すように電流端子９３の縦幅中央部には嵌合用の抜穴９５があけてあり、その抜穴９５の周囲が電流発生器（測定対象物）との取付箇所（接続箇所）となる。従って、仮に取付位置ａが電圧端子を引き出している側とは反対側に偏った場合には、両取付位置間の電流密度は高くなり、一方、電圧端子側では電流密度は低くなる。従って、電流密度の低い箇所から電圧端子９２を引き出していることになり、取付箇所のバラツキにより発生する電流密度の変化の影響を受け易く、検出精度に悪影響を与える。
【０００５】
本発明は上記実情を考慮して創作されたもので、その目的とするところは、電力ロスが少なく、しかも電流検出精度を向上できる電流検出用抵抗器を提供することである。
【課題を解決するための手段】
【０００６】
請求項１の発明の電流検出用抵抗器は、抵抗体と、抵抗体の左右に固定する板状の電流端子とからなる。そして、電流端子は、抵抗体よりも導電率の良い素材を用い、その外側を電流端子本体部とし、その内側には三つ又に分かれる分岐片を有し、前後２つの分岐片を抵抗体用接続部とすると共に、中央の分岐片を折り曲げて電圧端子としてあることを特徴とする。
【０００７】
三本の分岐片のうち中央のものを電圧端子として用いることにより、電圧端子の引き出し箇所が電流端子の縦幅中央部となる。そして、電流端子に電流発生装置（測定対象物）を取り付ける際の取付位置が仮に電流端子の縦幅方向の前側縁部に偏っており、前後の分岐片である抵抗体用接続部に流れる電流に差があっても、縦幅中央部は後側縁部に比べれば、電流密度が高い。従って、後側縁部から電圧端子を引き出すよりは、縦幅中央部から電圧端子を引き出した方が電流密度が高く、前側縁部の左右の取付箇所間に流れる電流密度に近似しており、抵抗体に流れる電流を左右の電圧端子間の測定電圧から精度良く検出できる。また、取付位置が縦幅方向でばらついたとしても、高い確率で縦幅中央部が最も高い電流密度となることからも、縦幅中央部から電圧端子を引き出すことが、電流検出精度を向上できると言える。
【０００８】
請求項２の発明の電流検出用抵抗器は次の点を特徴とする。電流端子は、その内側端部の縦幅全域を抵抗体用接続部とし、電流端子本体部と抵抗体用接続部の間には抵抗体用接続部側から三つ又に分かれる分岐片を有し、前後二つの分岐片を導通部とすると共に、中央の分岐片の先端を電流端子本体部から切り離し、その中央の分岐片を折り曲げて電圧端子としてある点である。
【発明の効果】
【０００９】
請求項１の発明は、抵抗体よりも導電率の良い（抵抗率の低い）素材を、電流端子として用いると共に、その電流端子の一部を電圧端子として用いることから、抵抗体と同一素材で電流端子や電圧端子を形成するものに比べれば、電力ロスを少なくできる。また、三本の分岐片のうち中央のものを電圧端子として用いることにより、電圧端子の引き出し箇所が電流端子の縦幅中央部となり、これによって、電流端子への電流発生装置（測定対象物）を取り付ける際の取付位置に関係なく、抵抗体に流れる電流を左右の電圧端子間の測定電圧から精度良く検出できる。さらに、電流端子の一部を折り曲げるだけで電圧端子を作成できるので、非常に製作しやすいと言える。
【００１０】
請求項２の発明も、同様の効果を有することに加え、抵抗体用接続部が電流端子の縦幅全域に亘って形成してあることから、接続面積が請求項１の発明よりも広く確保でき、抵抗体と電流端子との固定が強固になる。
【発明を実施するための最良の形態】
【００１１】
本発明の電流検出用抵抗器の第一例は図１、図２に示すように、四角形の抵抗体１と、抵抗体１の左右に接続する帯状の２つの電流端子２とから構成される。そして、左右に間隔をあけて配置した二つの電流端子２，２の内側端部の上に、抵抗体１の左右端部を載せて溶接、導電ペースト等で固定して、直列接続する。
【００１２】
電流端子２は、抵抗体１よりも導電率の良い素材、例えば銅を用いる。また、電流端子２は、平板状であって、縦幅を抵抗体１と殆ど同じ長さに形成し、その外側を電流端子本体３とし、内側にはＥ字状の三つ又に分かれる分岐片４，５，６を有する。
【００１３】
前後の分岐片４．６は、抵抗体用接続部となり、その先部に抵抗体１を載せて固定する。一方、中央の分岐片５は、前後の分岐片４，６よりも長く形成し、その根元部分から折り曲げて電圧端子としてある。また、三本の分岐片４，５，６は縦幅方向に間隔７をあけて配置してあるので、その間隔７によって中央分岐片５の電圧端子と前後分岐片４，６の抵抗用接続部との絶縁が確保される。従って、電流発生器に対する電流端子本体部３の取付箇所が仮に前縁部に偏って、その結果、前後の抵抗体用接続部４，６に流れる電流に差があっても、間隔７によって電圧端子５は後側抵抗体用接続部６とは絶縁されていることから、後側抵抗体用接続部６を流れる電流の影響を全く受けることなく、常に縦幅中央部を引き出し箇所とすることができ、電流検出精度を向上できる。
【００１４】
電流端子２は銅であるので、抵抗体１とは比較にならないほど抵抗値が小さく、電流端子２の抵抗値は０と考えても良いことから、第一例を図３の電気回路図で示せば、抵抗体１の両端から電流端子２と電圧端子５が延びていることになり、このことからも電力ロスが少なく、電流検出精度が向上することが分かる。
【００１５】
本発明の電流検出用抵抗器の第二例は図４、図５に示すように、電流端子２の形状に特徴がある。電流端子２は、その内側端部の縦幅全域を抵抗体用接続部８とし、電流端子本体部３と抵抗体用接続部８の間には、抵抗体用接続部８側からＥ字状の三つ又に分かれる分岐片９，１０，１１を有している。前後の分岐片９，１１は、電流端子本体部３と抵抗体用接続部８を短絡する導通部となる。一方、中央の分岐片１０は、その先端が電流端子本体部３とは切り離してあり、その根元部分から折り曲げて電圧端子としてある。
【００１６】
前後の分岐片９，１１である導通部に流れる電流に差があっても、双方の導通部の先端には抵抗体用接続部８が連続しており、抵抗体用接続部８の縦幅中央部から中央の分岐片１０である電圧端子が引き出されているので、電流差の影響が緩和されて、高精度に電流検出することができる。
【図面の簡単な説明】
【００１７】
【図１】（イ）図は本発明の電流検出用抵抗器の第一例の組立斜視図、（ロ）図は分解斜視図である。
【図２】第一例を平面から視た図である。
【図３】第一例の電気回路図である。
【図４】（イ）図は本発明の電流検出用抵抗器の第二例の組立斜視図、（ロ）図は分解斜視図である。
【図５】第二例を平面から視た図である。
【図６】従来の電流検出用抵抗器の平面図である。
【図７】従来の電流検出用抵抗器の電気回路図である。
【符号の説明】
【００１８】
１  抵抗体
２  電流端子
３  電流端子本体部
４、６  分岐片（抵抗体用接続部）
５  分岐片（電圧端子）
８  抵抗体用接続部
９，１１    分岐片（導通部）
１０  分岐片（電圧端子）
【図１】
2005181056.tif 000003
【図２】
2005181056.tif 000004
【図３】
2005181056.tif 000005
【図４】
2005181056.tif 000006
【図５】
2005181056.tif 000007
【図６】
2005181056.tif 000008
【図７】
2005181056.tif 000009